(57)【要約】【課題】外観上の色や模様、形を容易に変更することができること。【解決手段】火災警報器１は、ハウジング２と、検出部３と、報知部４と、カバー１０とを備える。ハウジング２は、全体として中空の略円盤形状に形成されてなり、内部に検出部３及び報知部４を収納する。検出部３は、煙や熱等の火災要因を検出する。報知部４は、検出部３で火災要因が検出されると警報音を出力する。カバー１０は、ハウジング２に着脱自在に取り付けられて、ハウジング２の外面の少なくとも一部を覆う。因って、種々の色や模様、形を有する複数のカバー１０の中から択一的に選択して、ハウジング２に取り付けることで、外観上の色や模様、形を容易に変更することができる。【選択図】図１
2010108105.tif 000002
【特許請求の範囲】
【請求項１】
火災を検出する検出部と、火災が検出されると警報音を出力する報知部と、前記検出部
及び前記報知部を収納するハウジングと、前記ハウジングに着脱自在に取り付けられて、
前記ハウジングの外面の少なくとも一部を覆うカバーとを備えることを特徴とする火災警
報器。
【請求項２】
前記ハウジングは、前記外面に煙や熱等の火災要因を前記ハウジング内の前記検出部に
導入する導入部を備え、前記導入部の外面は、前記カバーによって覆われないことを特徴
とする請求項１記載の火災警報器。
【請求項３】
前記ハウジングは、前面が平坦であり、且つ全体として扁平な筒状に形成され、前記ハ
ウジングの内部には、煙を検出する前記検出部が収納され、前記ハウジングの周面には、
前記検出部に煙を導入する導入部を備え、前記カバーは、前記前面のみを覆うことを特徴
とする請求項１記載の火災警報器。
【発明の詳細な説明】
【技術分野】
【０００１】
本発明は、火災を検知して、警報音を出力する火災警報器に関するものである。
【背景技術】
【０００２】
従来より、熱や煙などの火災要因を検知して、警報音を出力して周囲へ火災の発生を知
らせる種々の火災警報器が提供されている（例えば、特許文献１参照）。そして、この様
な火災警報器は、近年の消防法改正に伴い、オフィスビル内や地下街等の公衆の往来があ
る空間内だけでなく一般住宅内への設置が義務化されている。
【０００３】
ところで、これまで火災警報器は、そのほとんどが公衆の場にのみ設置されていたこと
から、火災警報器の性能や生産コスト面に対する関心が高く、デザインに対する関心は低
かった。そのため、火災警報器の外観上の色や形は、白色で薄い円板型といったように、
コスト面を考慮した非常にシンプルなものが多かった。一方で、近年の消防法改正により
火災警報器の一般住宅への普及に伴い、利用宅者の火災警報器のデザインに対する関心が
高まりつつあった。例えば、室内の色調に合った模様の火災警報器や、利用宅者の好みの
色の火災警報器の設置が望まれていた。しかし、これらの要望を実現するには、火災警報
器の成型材料の色の変更、若しくは完成品を塗装するしか方法がなかった。
【０００４】
これに対して、従来より火災警報器本体と、透明なカバーキャップとの間に介装される
、色付きの中敷シートを交換することで、利用宅者の好みの色や模様に変更できる火災警
報器が提供されている（特許文献２参照）。
【特許文献１】特開平６−３３３１８２号公報
【特許文献２】特表２００７−５１１８４３号公報
【発明の開示】
【発明が解決しようとする課題】
【０００５】
しかしながら、従来の中敷シートを具備する火災警報器は、外観上の色や模様の変更は
できても、形の変更はできない問題があった。
【０００６】
本発明は上記事由に鑑みて為されたものであり、その目的は、外観上の色や模様、形を
容易に変更することができる火災警報器を提供することにある。
【課題を解決するための手段】
【０００７】
請求項１の発明は、上記目的を達成するために、火災を検出する検出部と、火災が検出
されると警報音を出力する報知部と、前記検出部及び前記報知部を収納するハウジングと
、前記ハウジングに着脱自在に取り付けられて、前記ハウジングの外面の少なくとも一部
を覆うカバーとを備えることを特徴とする。
【０００８】
この発明によれば、前記ハウジングに着脱自在に取り付けられて、前記ハウジングの外
面の少なくとも一部を覆うカバーを備えるので、種々の色や模様、形を有する複数の前記
カバーの中から択一的に選択して前記ハウジングに取り付けることで、外観上の色や模様
、形を容易に変更することができる。
【０００９】
請求項２の発明は、請求項１の発明において、前記ハウジングは、前記外面に煙や熱等
の火災要因を前記ハウジング内の前記検出部に導入する導入部を備え、前記導入部の外面
は、前記カバーによって覆われないことを特徴とする。
【００１０】
この発明によれば、前記導入部の外面は、前記カバーによって覆われないので、前記火
災要因を検出する検出効率を低下させることなく、請求項１と同様の効果を奏することが
できる。
【００１１】
請求項３の発明は、請求項１の発明において、前記ハウジングは、前面が平坦であり、
且つ全体として扁平な筒状に形成され、前記ハウジングの内部には、煙を検出する前記検
出部が収納され、前記ハウジングの周面には、前記検出部に煙を導入する導入部を備え、
前記カバーは、前記前面のみを覆うことを特徴とする。
【００１２】
この発明によれば、前記ハウジングの周面には、前記検出部に煙を導入する導入部を備
え、前記カバーは、前記前面のみを覆うので、煙を検出する検出効率を低下させることな
く、請求項１と同様の効果を奏することができる。
【発明の効果】
【００１３】
本発明では、外観上の色や模様、形を容易に変更することができるという効果がある。
【発明を実施するための最良の形態】
【００１４】
以下、本発明の実施形態について、図１〜図６を参照して説明する。尚、以下の説明で
は、図１において上下方向を規定している。本実施形態の火災警報器１は、図１及び図２
に示すように、ハウジング２と、検出部３と、報知部４と、制御部５と、電源部６と、カ
バー１０とを備える。
【００１５】
ハウジング２は、図１に示すように、一面（図中の下面）が開口する扁平な円筒形状に
形成される本体部２ａと、一面（図中の上面）が開口する扁平な円錐台形状に形成される
蓋部２ｂとから構成される。そして、本体部２ａと蓋部２ｂとの開口側の周縁同士が互い
に嵌め合わさることで、全体として中空の略円盤形状に形成されてなる。火災警報器１を
取り付ける際には、本体部２ａの取付面２ｅ（図中の上面）を、室内の壁や天井等の施工
面に対向させてネジ止め固定される。蓋部２ｂの下面２ｃの軸方向中心部には、扁平な円
筒形状に形成された突出部７が下方に向けて突設されている。突出部７の周面には、ハウ
ジング２内部へ略細長矩形状に貫通する複数の導入部７ａが、その長手方向を円周方向に
対して平行に並設されており、突出部７の下面には、ハウジング２内部へ貫通する多数の
通気穴７ｂが配設されている。また、蓋部２ｂの下面２ｃの、周縁寄りには、後述の警報
停止ボタン８が突出するボタン穴２ｄが貫設されている。更に蓋部２ｂの周面には、略長
円形状に窪んだ一対の凹部９が奥行き方向の前方側と後方側とに設けられている（図中で
は、前方側のみ図示）。ハウジング２の内部には、検出部３と、報知部４と、制御部５と
、電源部６とが収納されており（図１には何れも図示せず）、本体部２ａの内底面に配設
されているプリント配線板（図示せず）に各々実装されている。そして、図２は、これら
の各構成を示すブロック図で、電源部６は、検出部３、報知部４及び制御部５の動作電源
を作成するものである。尚、電源部６は、電池を電源とするものでも、配線を介してＡＣ
１００Ｖの商用電源を電源とするものでもよい。
【００１６】
検出部３は、火災要因である煙を検出する煙感知部（図示せず）を備え、ハウジング２
内に収納されて外部からの光を遮断している。前記煙感知部は、突出部７の導入部７ａを
通じてハウジング２外部から導入する空気に対して光を照射する発光部（図示せず）と、
前記光が空気中に存在する煙粒子に反射される反射光を受光し光電変換する受光部（図示
せず）とを備えている。そして、前記受光部の受光レベルが、所定の閾値を超えると、検
出部３は、制御部５へ煙感知信号を送信する（図２参照）。尚、本実施形態の火災警報器
１は、火災要因を検出するものであれば、煙以外に例えば熱や炎を検出する検出部３を備
えていてもよい。
【００１７】
報知部４は、圧電振動子（図示せず）を備えた圧電ブザーであり、多数の通気穴７ｂと
対向させて前述のプリント配線板に実装されている。また、前記圧電振動子を駆動する駆
動回路の回路部品も前記プリント配線板に実装されている。そして、この通気穴７ｂを通
じて警報音がハウジング２外へ放出される。
【００１８】
制御部５は、メモリに収納されたプログラムをマイクロコンピュータで実行することに
より、検出部３から煙感知信号を受信すると、先述の駆動回路に対して制御を行い、報知
部４に警報音を鳴動させる。尚、この警報音とは所定の周波数範囲（３００ヘルツ〜４キ
ロヘルツ）に亘って周波数を連続的に変化させたスイープ音である。また、制御部５は、
例えば「火事です。」というような音声メッセージを、警報音とともに報知部４に鳴動さ
せてもよい。また、制御部５は、停止スイッチ５ａ、及び停止スイッチ５ａのオン・オフ
の切替を行う警報停止ボタン８を備える。警報停止ボタン８は、前述の様にハウジング２
のボタン穴２ｄより外部に突出している。警報音が鳴動中に警報停止ボタン８を指で押圧
すると、停止スイッチ５ａの状態がオフからオンに切り替り、停止スイッチ５ａは制御部
５へ停止信号を送信する。そして、停止信号を受信した制御部５は、報知部４に警報音の
鳴動を止めさせる。
【００１９】
カバー１０は、図１に示すように、全体として蓋部２ｂと略同形で、一面（図中の上面
）が開口する扁平な円錐台形状に形成される。カバー１０の下面１０ａの軸方向中心部に
は、円形状に貫通する挿通孔１０ｂが設けられ、その内径は突出部７の外径と略等しくし
ている。また、カバー１０の下面１０ａの周縁寄りには、円形状に貫通するボタン挿通孔
１０ｃが設けられ、その内径は警報停止ボタン８の外径と略等しくしている。更に、カバ
ー１０の内周面には、略長円形状に突出する一対の凸部１１が奥行き方向の前方側と後方
側とに設けられている（図中では、前方側のみ図示）。
【００２０】
以下、カバー１０のハウジング２への取付手順について簡単に説明する。図１に示すよ
うに、カバー１０の開口する前記一面をハウジング２の下面２ｃに対向させて、カバー１
０をハウジング２に被せる。このとき、突出部７及び警報停止ボタン８は、それぞれ挿通
孔１０ｂ及びボタン挿通孔１０ｃを通じてカバー１０の下面１０ａより下方に突出する。
即ち、カバー１０は、突出部７及び警報停止ボタン８の外面、並びに本体部２ａの取付面
２ｅを除く、ハウジング２の外面を覆う。そして、図３に示すように、カバー１０を上方
に押し込むと、カバー１０の内周面の凸部１１は、蓋部２ｂの周面に当接して、凸部１１
近傍の周壁を外側へ弾性変形により撓ませながら蓋部２ｂの周面を摺動する。凸部１１が
凹部９に到達すれば、前記周壁の弾性復元力により凸部１１と凹部９とが係合する。この
様に着脱自在にハウジング２に取り付けられ、且つ種々の色や模様を有する複数のカバー
１０を用意すれば、火災警報器１を設置する利用宅者は、好みの色や室内の色調に合った
模様を有するカバー１０を択一的に選択することで、外観上の色や模様を容易に変更する
ことができる。そして、カバー１０は、導入部７ａの外面を覆わないので、火災要因の煙
を検出する検出効率を低下させることはない。また、カバー１０は、別のカバーと交換す
るだけでなく、直接カバー１０の外面に塗装を施したりシールを貼り付けたりすることで
も、外観上の色や模様を容易に変更することができる。
【００２１】
上述の種々の色や模様とは、従来のハウジングの色と同様の白色や乳白色の他に、例え
ば、赤・青・黄・黒等の多彩な色やカラフルな模様、和室に合わせた木目調の模様等が挙
げられる。更には応用的に、文字や模様を浮き彫りにさせたり、カバー１０を透光性の有
する材料で形成したり、アニメキャラクターの絵を描いたりすることもできる。
【００２２】
また、本実施形態のカバーは、図１に示されるような蓋部２ｂと略同形でなくてもよく
、例えば、図４に示すように、一面（図中の上面）が開口する円筒形状に形成されるカバ
ー２０でもよい。この火災警報器１の制御部５は、押ボタン式の警報停止ボタン８の代わ
りに、ハウジング２の下面２ｃに貫設されている穴２ｆを通じて垂下されている１本の紐
と、その紐の先端部に取り付けられている矩形板状の補助具からなる警報停止紐２１を備
える。この警報停止紐２１を下方へ手で引っ張ることで、停止スイッチ５ａのオン・オフ
の切替が行われる。そして、カバー２０の下面２０ａの周縁寄りには、警報停止紐２１を
挿通させる穴部２０ｂが設けられている。また、カバー２０の下面２０ａ中心部には多数
の通気穴２０ｃが貫設されており、この通気穴２０ｃと突出部７の通気穴７ｂとを通じて
、報知部４の警報音がカバー２０外へ放出される。カバー２０周面の下方側には、略細長
矩形状に貫通する複数の煙通気孔２０ｄが、その長手方向を円周方向に対して平行に並設
されており、煙通気孔２０ｄと突出部７の導入部７ａとを通じて、カバー２０外の空気が
ハウジング２内に導入する。そして、カバー２０は、警報停止紐２１及び本体部２ａの取
付面２ｅを除く、ハウジング２の外面を覆う。カバー１０の場合と異なり、導入部７ａは
カバー２０から露出していないが、導入部７ａに対向して煙通気孔２０ｄが配設されてい
るので、火災要因の煙を検出する検出効率を低下させることはない。尚、カバー２０のハ
ウジング２への取付手段である凹部９及び凸部１１は、カバー１０と共通であるので、説
明を省略する。
【００２３】
この様に着脱自在にハウジング２に取り付けられ、且つカバー１０，２０の様に各々形
の異なるカバーを用意すれば、火災警報器１を設置する利用宅者は、好みの形を有するカ
バーを択一的に選択することで、外観上の色や模様だけでなく、形も容易に変更すること
ができる。
【００２４】
ところで、図５及び図６に示すように、先述のハウジング２の構造とは異なるハウジン
グ４０には、扁平な円板形状に形成されるカバー３０を取り付けてもよい。このハウジン
グ４０は、図６に示すように、前面４０ｃ（図中の下面）が平坦であり、全体として円筒
形状に形成されている。即ち、一面（図中の上面）が開口する扁平な円筒形状に形成され
るボディ４２と、ボディ４２の開口する前記一面を塞ぐ円板状に形成されたベース４１と
からなる。この火災警報器１を取り付ける際には、ハウジング４０の後面４０ｄ（図６中
の上面）を、室内の壁や天井等の施工面に対向させてネジ止め固定される。ハウジング４
０の内部には、図６に示すように、煙を検出する検出部３と、報知部４と、制御部５（図
６には図示せず）と、電源部６（図６には図示せず）が収納され、各々プリント配線板４
３に実装されている。ハウジング４０の周面のベース４１側寄りには、ハウジング４０内
部へ略細長矩形状に貫通する複数の導入部４０ａが、その長手方向を円周方向に対して平
行に並設されている。前面４０ｃの周縁近傍（図５中の左側寄り）の、ハウジング内部の
報知部４と対向する場所には、多数の通気穴４０ｂが貫設されている。また、前面４０ｃ
の周縁近傍（図５中の右側寄り）には、警報停止ボタン８が突設されている。また、前面
４０ｃの略中心部には、ハウジング４０内に貫通する一対の貫通孔３１が設けられ、カバ
ー３０の上面３０ａには、この貫通孔３１に挿入係止する一対の係合爪３２が延設されて
いる。カバー３０周縁近傍の、通気穴４０ｂ、並びに警報停止ボタン８と対向する場所に
は、各々多数の貫通する通気穴３０ｂ、並びに円筒形状に貫通するボタン挿通孔３０ｃが
設けられている。この通気穴３０ｂと通気穴４０ｂとを通じて、報知部４の警報音がカバ
ー３０外へ放出される。そして、カバー３０は、前述の係合爪３２及び貫通孔３１を介し
て、ハウジング４０の前面４０ｃに着脱自在に取り付けられるとともに、前面４０ｃのみ
を覆う。因って、カバー１０やカバー２０と同様に、火災要因の煙を検出する検出効率を
低下させることはなく、カバー３０の取り替えにより外観上の色や模様、形を容易に変更
することができる。
【図面の簡単な説明】
【００２５】
【図１】本発明の実施形態の斜視図である。
【図２】同上におけるブロック図である。
【図３】同上における要部断面図である。
【図４】同上における円筒形状に形成されるカバーの斜視図である。
【図５】同上における円板形状に形成されるカバーの斜視図である。
【図６】同上における円板形状に形成されるカバーの断面図である。
【符号の説明】
【００２６】
１  火災警報器
２  ハウジング
３  検出部
４  報知部
１０  カバー
【図１】
2010108105.tif 000003
【図２】
2010108105.tif 000004
【図３】
2010108105.tif 000005
【図４】
2010108105.tif 000006
【図５】
2010108105.tif 000007
【図６】
2010108105.tif 000008